(57)【要約】【課題】表示装置に対するユーザの利便性を向上させることができる表示制御装置および表示制御方法を提供する。【解決手段】実施形態の一態様においては、表示制御装置は、注視検出部と、表示制御部とを備える。注視検出部は、コンテンツ情報を表示可能な複数の表示装置のうち、ユーザに注視されている注視表示装置を検出する。表示制御部は、注視検出部によって検出された注視表示装置に表示されているコンテンツ情報を注視表示装置とは別の表示装置に表示させる。【選択図】図１
2018066940.tif 000002
【特許請求の範囲】
【請求項１】
コンテンツ情報を表示可能な複数の表示装置のうち、ユーザに注視されている注視表示装置を検出する注視検出部と、
前記注視検出部によって検出された前記注視表示装置に表示されているコンテンツ情報を前記注視表示装置とは別の表示装置に表示させる表示制御部と
を備えることを特徴とする表示制御装置。
【請求項２】
前記表示制御部は、
前記注視表示装置に表示されているコンテンツ情報を前記ユーザの位置よりも前記注視表示装置側にある表示装置に表示させること
を特徴とする請求項１に記載の表示制御装置。
【請求項３】
前記表示装置は、
車両の前席および後席にそれぞれ設置されるとともに、
前記表示制御部は、
前記注視検出部によって前記前席に設置された前記表示装置が前記後席のユーザに注視されて前記注視表示装置として検出された場合、前記注視表示装置に表示されているコンテンツ情報を前記後席に設置された前記表示装置に表示させること
を特徴とする請求項１または２に記載の表示制御装置。
【請求項４】
前記ユーザは、複数であり、
前記注視検出部は、
前記複数のユーザのそれぞれが注視している前記注視表示装置を検出し、
前記表示制御部は、
前記注視検出部の検出結果に基づいて前記別の表示装置の表示を制御すること
を特徴とする請求項１〜３のいずれか一つに記載の表示制御装置。
【請求項５】
前記表示制御部は、
前記注視検出部によって前記複数の表示装置のうちの同じ表示装置が前記複数のユーザに注視されて前記注視表示装置として検出された場合、前記注視表示装置に表示されているコンテンツ情報を前記別の表示装置に表示させること
を特徴とする請求項４に記載の表示制御装置。
【請求項６】
前記表示制御部は、
前記注視検出部によって前記複数のユーザのうちの一部のユーザに注視された前記注視表示装置の前記コンテンツ情報を表示させる前記別の表示装置が、前記複数のユーザのうちの他のユーザに注視されて前記注視表示装置として検出された場合、前記一部のユーザに注視された前記注視表示装置に表示されているコンテンツ情報の前記別の表示装置への表示を禁止すること
を特徴とする請求項４または５に記載の表示制御装置。
【請求項７】
前記ユーザが前記注視表示装置へ向けて移動しているか否かを判定する移動判定部
をさらに備え、
前記表示制御部は、
前記移動判定部の判定結果に基づいて前記別の表示装置の表示を制御すること
を特徴とする請求項１〜６のいずれか一つに記載の表示制御装置。
【請求項８】
前記表示制御部は、
前記移動判定部によって前記ユーザが前記注視表示装置へ向けて移動していると判定された場合、前記注視表示装置に表示されているコンテンツ情報を前記注視表示装置の位置よりも前記ユーザの移動方向側にある表示装置に表示させること
を特徴とする請求項７に記載の表示制御装置。
【請求項９】
コンテンツ情報を表示可能な複数の表示装置のうち、ユーザに注視されている注視表示装置を検出する注視検出工程と、
前記注視検出工程で検出された前記注視表示装置に表示されているコンテンツ情報を前記注視表示装置とは別の表示装置に表示させる表示制御工程と
を含むことを特徴とする表示制御方法。
【発明の詳細な説明】
【技術分野】
【０００１】
本発明は、表示制御装置および表示制御方法に関する。
【背景技術】
【０００２】
従来、例えば再生されたＤＶＤ（Digital  Versatile  Disc）の映像やテレビ映像などのコンテンツ情報を表示可能な表示装置が知られている。なお、上記した表示装置は、例えば車両などに搭載されている（例えば特許文献１参照）。
【０００３】
ところで、上記した表示装置が複数あり、複数の表示装置にそれぞれ別のコンテンツ情報が表示されることがある。その際、複数の表示装置のうちの一つの表示装置に表示されているコンテンツ情報を別の表示装置に表示させたい場合、ユーザが別の表示装置を操作することで、別の表示装置にコンテンツ情報を表示させていた。
【先行技術文献】
【特許文献】
【０００４】
【特許文献１】特開２００６−３７８７号公報
【発明の概要】
【発明が解決しようとする課題】
【０００５】
しかしながら、上記したような別の表示装置にコンテンツ情報を表示させる操作はユーザにとって煩わしく、表示装置の利便性を低下させるおそれがあった。このように、従来技術には、表示装置の利便性を向上させるという点で改善の余地があった。
【０００６】
本発明は、上記に鑑みてなされたものであって、表示装置に対するユーザの利便性を向上させることができる表示制御装置および表示制御方法を提供することを目的とする。
【課題を解決するための手段】
【０００７】
上記課題を解決し、目的を達成するために、本発明は、表示制御装置において、注視検出部と、表示制御部とを備える。注視検出部は、コンテンツ情報を表示可能な複数の表示装置のうち、ユーザに注視されている注視表示装置を検出する。表示制御部は、前記注視検出部によって検出された前記注視表示装置に表示されているコンテンツ情報を前記注視表示装置とは別の表示装置に表示させる。
【発明の効果】
【０００８】
本発明によれば、表示装置に対するユーザの利便性を向上させることができる。
【図面の簡単な説明】
【０００９】
【図１】図１は、第１の実施形態に係る表示制御方法の概要を示す図である。
【図２】図２は、第１の実施形態における表示システムの構成例を示すブロック図である。
【図３】図３は、表示装置を説明する図である。
【図４】図４は、表示制御装置が実行する処理手順を示すフローチャートである。
【図５】図５は、第１の変形例に係る表示制御装置を説明する図である。
【図６】図６は、第２の変形例に係る表示制御装置を説明する図である。
【図７】図７は、第２の実施形態における表示システムの構成例を示すブロック図である。
【図８】図８は、ユーザ端末の構成例を示すブロック図である。
【図９】図９は、表示制御装置の構成例を示すブロック図である。
【図１０】図１０は、表示装置の配置例を示す図である。
【発明を実施するための形態】
【００１０】
以下、添付図面を参照して、本願の開示する表示制御装置および表示制御方法の実施形態を詳細に説明する。なお、以下に示す実施形態によりこの発明が限定されるものではない。
【００１１】
（第１の実施形態）
＜１．表示制御方法の概要＞
以下では先ず、第１の実施形態に係る表示制御方法の概要について図１を参照して説明する。図１は、第１の実施形態に係る表示制御方法の概要を示す図である。
【００１２】
第１の実施形態に係る表示制御方法は、例えば自動車などの車両１に搭載された表示制御装置３０によって実行される。具体的には、車両１は、車室２と、表示装置２０と、表示制御装置３０とを備える。
【００１３】
車室２は、その前部（前方）に座席３ＦＲおよび座席３ＦＬを、その後部（後方）に座席３ＲＲおよび座席３ＲＬを、それぞれ備えているものとする。なお、以下では、座席３ＦＲ，３ＦＬを「前席３ＦＲ，３ＦＬ」、座席３ＲＲ，３ＲＬを「後席３ＲＲ，３ＲＬ」と記載する場合がある。
【００１４】
図１に示す例では、前席３ＦＲが車両１の運転席であり、運転者Ｄが着座し、また搭乗者Ｕが後席３ＲＬに着座しているものとする。なお、以下では、搭乗者Ｕを「ユーザＵ」と記載するが、運転者Ｄがユーザであってもよい。
【００１５】
表示装置２０は複数あり、例えば前席３ＦＲ，３ＦＬと後席３ＲＲ，３ＲＬとにそれぞれ１台ずつ設置されているものとする。表示装置２０は、例えば液晶パネルなどの画面２１を備え、例えば再生されたＤＶＤの映像やテレビ映像、ナビゲーション画像など種々のコンテンツ情報を表示可能とされる。
【００１６】
なお、以下では、前席３ＦＲ，３ＦＬに設置された表示装置２０Ｆを「前席表示装置２０Ｆ」、後席３ＲＲ，３ＲＬに設置された表示装置２０Ｒを「後席表示装置２０Ｒ」と記載する場合がある。また、図１に示すユーザＵの着座位置、前席表示装置２０Ｆおよび後席表示装置２０Ｒの設置位置は、例示であって限定されるものではない。
【００１７】
表示制御装置３０は、前席表示装置２０Ｆおよび後席表示装置２０Ｒの表示の制御などを行う。なお、表示制御装置３０の詳しい構成については、図２を参照して後述する。
【００１８】
ところで、上記したように表示装置２０が複数あると、複数の表示装置２０にそれぞれ別のコンテンツ情報が表示されることがある。例えば図１に示すように、前席表示装置２０Ｆの画面２１Ｆに人の顔が表示され、後席表示装置２０Ｒの画面２１Ｒに山の風景が表示されるなど、別の内容が表示されることがある。なお、上記した人の顔や山の風景は、コンテンツ情報の一部であるものとする。
【００１９】
ここで、例えば、後席３ＲＬのユーザＵが前席表示装置２０Ｆを見て、前席表示装置２０Ｆに表示されているコンテンツ情報に興味を示し、かかるコンテンツ情報を自身に近い後席表示装置２０Ｒに表示させることを所望することがある。
【００２０】
その際、従来技術においては、ユーザＵが後席表示装置２０Ｒの操作部（図示せず）を操作することで、前席表示装置２０Ｆのコンテンツ情報を後席表示装置２０Ｒに表示させていた、言い換えると、コンテンツ情報の切り替え操作をユーザＵ自身が行っていた。
【００２１】
このような、複数の表示装置２０のうちの一つの表示装置（ここでは前席表示装置２０Ｆ）に表示されているコンテンツ情報を別の表示装置（ここでは後席表示装置２０Ｒ）に表示させる操作はユーザＵにとって煩わしく、表示装置２０の利便性を低下させるおそれがあった。そこで、本実施形態に係る表示制御方法にあっては、表示装置２０の利便性を向上させるようにした。
【００２２】
詳しく説明すると、本実施形態において、車両１の車室２の適宜位置には、撮像部１２が設けられる。なお、図１にあっては、図示の簡略化のため、後席３ＲＬのユーザＵを撮影する撮像部１２のみを示したが、これに限られず、例えば後席３ＲＲや前席３ＦＲ，３ＦＬに着座するユーザを撮像する撮像部１２を備えていてもよい。また、撮像部１２は、車室２内のユーザを撮像できれば、１台であっても複数台であってもよく、また、設置する位置も任意に設定することができる。
【００２３】
上記した撮像部１２は、ユーザＵの顔を含む画像、換言すると、ユーザＵの視線に関する画像を撮像し、かかる画像情報を表示制御装置３０へ出力する。
【００２４】
表示制御装置３０は、撮像部１２から出力された画像情報に基づいてユーザＵの視線の方向を検出する（ステップＳ１）。続いて表示制御装置３０は、検出されたユーザＵの視線の方向の情報に基づき、複数の表示装置２０の中から注視表示装置を検出する（ステップＳ２）。注視表示装置とは、ユーザＵに注視されている表示装置２０である。
【００２５】
具体的に表示制御装置３０は、ユーザＵの画像情報から得られたユーザＵの視線の方向の情報に基づき、例えば複数の表示装置２０のうちの一つの表示装置２０に対してユーザＵの視線が所定時間以上向けられていると判定された場合、当該表示装置２０を注視表示装置として検出する。なお、図１に示す例では、表示制御装置３０は、前席表示装置２０Ｆを注視表示装置として検出するものとする。
【００２６】
そして、注視表示装置が検出されると、表示制御装置３０は、注視表示装置に表示されているコンテンツ情報を注視表示装置とは別の表示装置（ここでは後席表示装置２０Ｒ）に表示させる（ステップＳ３）。
【００２７】
これにより、後席表示装置２０Ｒには、前席表示装置２０Ｆに表示されているコンテンツ情報が表示されることとなる、言い換えれば、後席表示装置２０Ｒのコンテンツ情報が前席表示装置２０Ｆに表示されているコンテンツ情報に切り替えられることとなる。
【００２８】
このように、本実施形態にあっては、ユーザＵは、例えば興味のある前席表示装置２０Ｆを見るだけで、後席表示装置２０Ｒのコンテンツ情報を前席表示装置２０Ｆのコンテンツ情報に切り替えることができる。すなわち、本実施形態にあっては、後席表示装置２０Ｒに対するユーザＵの操作を要さずに、所望するコンテンツ情報への切り替えが行われることから、表示装置２０の利便性を向上させることができる。
【００２９】
なお、上記では、表示装置２０や表示制御装置３０が車両１たる自動車に搭載される場合を例に挙げて説明したが、これに限定されるものではなく、例えば飛行機、列車等の車両や船舶などその他の交通機関などに搭載されてもよい。例えば表示制御装置３０等が飛行機に搭載される場合、ユーザＵが機内の離れた位置にある表示装置２０を注視すると、表示制御装置３０は当該表示装置２０を注視表示装置として検出し、かかる注視表示装置のコンテンツ情報をユーザＵの近傍にある表示装置２０に表示させるようにしてもよい。
【００３０】
＜２．表示制御装置などの構成＞
次に、図２を用いて、第１の実施形態に係る表示制御装置３０を備えた表示システム１００の構成を説明する。図２は、第１の実施形態における表示システム１００の構成例を示すブロック図である。
【００３１】
図２に示すように、本実施形態に係る表示システム１００は、操作部１０と、コンテンツ入力部１１と、撮像部１２と、表示装置２０と、表示制御装置３０とを備える。
【００３２】
操作部１０は、運転者や搭乗者などのユーザＵによって操作された場合、かかる操作内容を示す信号を表示制御装置３０の制御部４０（後述）へ出力する。例えば、操作部１０は、表示装置２０に表示させるコンテンツ情報の種類（ＤＶＤの映像やテレビ映像など）を選択する選択ボタン等を含み、かかるボタンがユーザＵによって操作された場合、選択されたコンテンツ情報の種類を示す信号を制御部４０へ出力する。なお、操作部１０としては、表示装置２０付近に配置される操作ボタンや表示装置２０の画面２１に設けられるタッチパネルなどを用いることができる。
【００３３】
コンテンツ入力部１１には、コンテンツ情報が入力され、入力されたコンテンツ情報を表示制御装置３０の制御部４０へ出力する。コンテンツ入力部１１としては、例えばＤＶＤの再生装置やＴＶ電波を受信するアンテナ装置などを用いることができるが、これに限られず、コンテンツ情報が入力される装置であれば、その他の装置であってもよい。
【００３４】
撮像部１２は、上記したように、ユーザＵの視線に関する画像を撮像し、画像情報を表示制御装置３０の制御部４０へ出力する。なお、撮像部１２は、例えばユーザＵを撮像するカメラデバイスであり、車載カメラなどを用いることができる。
【００３５】
表示装置２０は、上記した前席表示装置２０Ｆおよび後席表示装置２０Ｒを含むが、これに限定されるものではない。図３は、車室２の模式平面図であり、表示装置２０を説明する図である。
【００３６】
図３に示すように、後席表示装置２０Ｒは、後席３ＲＲと後席３ＲＬとの間で、かつ前席３ＦＲ，３ＦＬの後方の位置に配置される。なお、後席表示装置２０Ｒは、例えば車室２の天井に取り付けられて配置されるが、取付位置はこれに限定されない。
【００３７】
そのため、後席表示装置２０Ｒは、後席３ＲＬのユーザＵと後席３ＲＲのユーザ（図示せず）とで共用されるが、かかる後席表示装置２０Ｒに代えてあるいは加えて、図３に想像線で示すように、後席表示装置１２０ＲＲ，１２０ＲＬが車室２に配置されてもよい。後席表示装置１２０ＲＲは、後席３ＲＲの前方かつ前席３ＦＲの後方の位置に配置され、後席表示装置１２０ＲＬは、後席３ＲＬの前方かつ前席３ＦＬの後方の位置に配置される。また、後席表示装置１２０ＲＲ，１２０ＲＬは、例えば前席３ＦＲ，３ＦＬの背もたれ部やヘッドレスト部に取り付けられて配置されるが、取付位置はこれに限定されない。
【００３８】
また、図３に想像線で示すように、後席表示装置２２０ＲＲ，２２０ＲＬが後席３ＲＲ，３ＲＬの側方のドア付近にそれぞれ配置されてもよい。上記した後席表示装置１２０ＲＲ，１２０ＲＬや後席表示装置２２０ＲＲ，２２０ＲＬは、後席３ＲＲのユーザ（図示せず）および後席３ＲＬのユーザＵに対してそれぞれ専用の表示装置２０として使用される。
【００３９】
このように、表示装置２０は、前席表示装置２０Ｆや後席表示装置２０Ｒに代えてあるいは加えて、後席表示装置１２０ＲＲ，１２０ＲＬ，２２０ＲＲ，２２０ＲＬを含んでいてもよい。
【００４０】
図２の説明に戻ると、表示制御装置３０は、制御部４０と、記憶部５０とを備える。制御部４０は、操作受付部４１と、コンテンツ取得部４２と、視線検出部４３と、注視検出部４４と、表示制御部４５とを備え、ＣＰＵ（Central  Processing  Unit）などを有するマイクロコンピュータである。
【００４１】
また、記憶部５０は、不揮発性メモリやハードディスクドライブといった記憶デバイスで構成される記憶部であり、表示装置２０の位置情報データベース（ＤＢ）５１と、コンテンツ情報データベース（ＤＢ）５２とを備える。
【００４２】
表示装置２０の位置情報ＤＢ５１には、前席表示装置２０Ｆや後席表示装置２０Ｒの位置を示す情報が記憶される。例えば、表示装置２０の位置情報ＤＢ５１に記憶される情報は、車室２の前席３ＦＲ，３ＦＬや後席３ＲＲ，３ＲＬに対する前席表示装置２０Ｆや後席表示装置２０Ｒのそれぞれの相対的な位置関係を示す情報である。コンテンツ情報ＤＢ５２には、例えばコンテンツ入力部１１から入力されたコンテンツ情報が記憶される。
【００４３】
制御部４０の操作受付部４１は、例えば、ユーザＵの操作部１０への操作によって選択されたコンテンツ情報の種類を示す信号を受け付ける。操作受付部４１は、受け付けた信号を表示制御部４５へ出力する。
【００４４】
コンテンツ取得部４２は、コンテンツ入力部１１に入力されたコンテンツ情報を取得する。そして、コンテンツ取得部４２は、取得したコンテンツ情報をコンテンツ情報ＤＢ５２に一時的に記憶させる。
【００４５】
視線検出部４３は、撮像部１２によって撮像されたユーザＵの画像を取得し、かかる画像に対する画像解析処理を行ってユーザＵの視線方向を検出する。例えば、視線検出部４３は、ユーザＵの画像におけるユーザＵの頭部の向きや目の位置を、予め記憶部５０に記憶された基準画像と比較し、ユーザＵの視線が何処に向いているかを検出してもよい。なお、上記した基準画像は、例えば図３に示すユーザＵが前席表示装置２０Ｆを見ている場合や、後席表示装置２０Ｒを見ている場合の頭部の向きや目の位置などの画像を含むものとする。
【００４６】
なお、例えば、撮像部１２が赤外線カメラおよび赤外線ＬＥＤを備えるように構成し、視線検出部４３は、赤外線カメラで撮像した画像に基づいてユーザＵの視線方向を検出してもよい。具体的には、視線検出部４３は、赤外線ＬＥＤで照らしたユーザＵの顔を赤外線カメラで撮像することによって得られる赤外画像中の瞳孔と、眼球上に生じる赤外照明反射像との位置関係に基づき、ユーザＵの視線方向を検出してもよい。
【００４７】
そして、視線検出部４３は、検出されたユーザＵの視線方向を示す情報を注視検出部４４へ出力する。なお、上記したユーザＵの視線方向を検出する手法は、あくまでも例示であって限定されるものではない。
【００４８】
注視検出部４４は、視線検出部４３によって検出されたユーザＵの視線方向を示す情報に基づき、注視表示装置を検出する。例えば、注視検出部４４は、上記したように、ユーザＵの視線が複数の表示装置２０のうちの一つの表示装置２０に対して所定時間以上継続して向けられている場合に、当該表示装置２０を注視表示装置として検出する。
【００４９】
なお、注視検出部４４は、例えば、ユーザＵの視線が一つの表示装置２０に対して所定時間以内に所定回数以上向けられた場合に、当該表示装置２０を注視表示装置として検出してもよい。
【００５０】
そして、注視検出部４４は、検出された注視表示装置を示す情報と、注視表示装置を注視しているユーザＵの着座位置を示す情報とを関連付けて表示制御部４５へ出力する。なお、上記した所定時間や所定回数の数値は、任意の値に設定することができる。また、上記では、注視検出部４４において表示装置２０を注視表示装置として検出する条件について具体例を挙げて説明したが、これらはあくまでも例示であって限定されるものではない。
【００５１】
表示制御部４５は、操作受付部４１から出力されるコンテンツ情報の種類を示す信号に基づいて、対応するコンテンツ情報をコンテンツ情報ＤＢ５２から読み出す。そして、表示制御部４５は、読み出したコンテンツ情報を、ユーザＵが操作した操作部１０に対応する表示装置２０、言い換えると、ユーザＵが所望した表示装置２０へ出力して表示させる。
【００５２】
また、表示制御部４５は、注視検出部４４によって注視表示装置が検出された場合、注視表示装置に表示されているコンテンツ情報を、注視表示装置とは別の表示装置２０に表示させるようにしてもよい。
【００５３】
ここでは、図３に示すように、後席３ＲＬのユーザＵが前席表示装置２０Ｆを注視し、前席表示装置２０Ｆが注視表示装置として検出された場合を例に挙げて説明する。かかる場合、表示制御部４５は、後席表示装置２０Ｒを、前席表示装置２０Ｆのコンテンツ情報を表示させる別の表示装置２０として選択する。なお、以下では、表示制御部４５によって選択された表示装置２０を「選択表示装置」と記載する場合がある。
【００５４】
詳しくは、表示制御部４５は先ず、注視表示装置として検出された前席表示装置２０Ｆの位置情報を表示装置２０の位置情報ＤＢ５１から読み出し、前席表示装置２０Ｆと後席３ＲＬのユーザＵとの位置関係を示す情報を取得する。
【００５５】
そして、表示制御部４５は、取得した位置関係を示す情報に基づき、例えば後席３ＲＬのユーザＵにとって前席表示装置２０Ｆよりも見易い位置にある表示装置２０を選択表示装置として選択する。
【００５６】
例えば、表示制御部４５は、ユーザＵの位置よりも注視表示装置側にある表示装置２０、より詳しくは、図３に破線の範囲Ａで示すように、ユーザＵの位置よりも注視表示装置側であって、ユーザＵの位置と注視表示装置との間にある表示装置２０（ここでは後席表示装置２０Ｒ）を選択表示装置として選択する。
【００５７】
すなわち、注視表示装置が検出された場合、ユーザＵは注視表示装置の方向を向いている。従って、ユーザＵの位置よりも注視表示装置側の範囲Ａにある表示装置２０は、ユーザＵの注視方向に存在するため、ユーザＵにとって見易い位置であると推定される。そこで、表示制御部４５にあっては、上記した範囲Ａにある表示装置２０を選択表示装置として選択する。
【００５８】
なお、例えば、上記した後席表示装置１２０ＲＲ，１２０ＲＬ，２２０ＲＲ，２２０ＲＬが車室２に配置される場合、表示制御部４５は、後席表示装置１２０ＲＲ，１２０ＲＬ，２２０ＲＲ，２２０ＲＬの一部あるいは全部を選択表示装置として選択してもよい。
【００５９】
また、図示は省略するが、後席３ＲＬのユーザＵが後席表示装置２０Ｒを注視し、後席表示装置２０Ｒが注視表示装置として検出された場合、ユーザＵの位置と注視表示装置との間に表示装置２０が存在しないことから、表示制御部４５は選択表示装置の選択を行わないようにしてもよい。
【００６０】
なお、後席表示装置２０Ｒが注視表示装置として検出された場合であっても、後席３ＲＬのユーザＵの姿勢によっては、後席表示装置２０Ｒよりも前席表示装置２０Ｆの方がユーザＵにとって見易いこともある。その際、表示制御部４５は、ユーザＵの位置よりも注視表示装置側にある前席表示装置２０Ｆを選択表示装置として選択してもよい。
【００６１】
表示制御部４５は、上記のように選択表示装置が選択されると、かかる選択表示装置、換言すれば注視表示装置とは別の表示装置２０に、注視表示装置に表示されているコンテンツ情報を表示させる（図１のＳ３参照）。
【００６２】
なお、表示制御部４５は、注視表示装置とは別の表示装置２０に、注視表示装置のコンテンツ情報を表示させた場合、表示装置２０の画面２１を点滅させたり、図示しないスピーカから音声を出力したりして、ユーザＵにコンテンツ情報が切り替わったことを報知するようにしてもよい。これにより、ユーザＵは、コンテンツ情報が切り替わったことを早期に認識することが可能となる。
【００６３】
＜３．第１の実施形態に係る表示制御装置の表示制御処理＞
次に、表示制御装置３０が表示装置２０の表示を制御する具体的な処理手順について図４を用いて説明する。図４は、表示制御装置３０が実行する処理手順を示すフローチャートである。
【００６４】
図４に示すように、表示制御装置３０は、ユーザＵの画像に基づいてユーザＵの視線方向を検出する（ステップＳ１０）。次いで、表示制御装置３０は、検出されたユーザＵの視線方向に基づいて注視表示装置を検出する（ステップＳ１１）。
【００６５】
続いて、表示制御装置３０は、注視表示装置が検出されたか否かを判定する（ステップＳ１２）。表示制御装置３０は、注視表示装置が検出されない場合（ステップＳ１２，Ｎｏ）、以降の処理をスキップする。
【００６６】
他方、表示制御装置３０は、注視表示装置が検出された場合（ステップＳ１２，Ｙｅｓ）、注視表示装置とは別の表示装置２０を選択表示装置として選択する（ステップＳ１３）。そして、表示制御装置３０は、選択表示装置として選択された表示装置２０の表示を制御する（ステップＳ１４）。具体的には、表示制御装置３０は、注視表示装置に表示されているコンテンツ情報を選択表示装置として選択された表示装置２０に表示させる。
【００６７】
上述してきたように、第１の実施形態に係る表示制御装置３０は、注視検出部４４と、表示制御部４５とを備える。注視検出部４４は、コンテンツ情報を表示可能な複数の表示装置２０のうち、ユーザＵに注視されている注視表示装置を検出する。表示制御部４５は、注視検出部４４によって検出された注視表示装置に表示されているコンテンツ情報を注視表示装置とは別の表示装置２０に表示させる。これにより、第１の実施形態に係る表示制御装置３０にあっては、表示装置２０に対するユーザの利便性を向上させることができる。
【００６８】
また、表示制御部４５は、注視表示装置に表示されているコンテンツ情報を、例えば、ユーザＵの位置よりも注視表示装置側にある表示装置２０に表示させる。これにより、ユーザＵにとって見易い位置であると推定される位置の表示装置２０に、注視表示装置のコンテンツ情報を表示させることができる。
【００６９】
表示制御部４５は、前席３ＦＲ，３ＦＬに設置された前席表示装置２０Ｆが後席３ＲＲ，３ＲＬのユーザＵに注視されて注視表示装置として検出された場合、注視表示装置のコンテンツ情報を後席３ＲＲ，３ＲＬに設置された後席表示装置２０Ｒに表示させる。これにより、後席３ＲＲ，３ＲＬのユーザＵにとって見易い位置にある後席表示装置２０Ｒに、注視表示装置のコンテンツ情報を表示させることができる。
【００７０】
（第１の変形例）
＜４．第１の変形例に係る表示制御装置＞
次いで、第１の変形例に係る表示制御装置３０について説明する。上記した第１の実施形態にあっては、ユーザＵが１人である場合を例にとって説明したが、車両１には、複数のユーザＵが乗る場合もある。そこで、第１の変形例に係る表示制御装置３０にあっては、ユーザＵが複数であっても対応できるような構成とした。
【００７１】
図５は、第１の変形例に係る表示制御装置３０を説明する図である。図５に示すように、第１の変形例では、車両１の後席３ＲＬにユーザＵ１が着座し、後席３ＲＲにユーザＵ２が着座しているものとする。
【００７２】
また、撮像部１２は、後席３ＲＬおよび後席３ＲＲにそれぞれ設けられてユーザＵ１，Ｕ２を撮像するが、これに限られず、例えば１台の撮像部１２でユーザＵ１，Ｕ２を撮像してもよい。
【００７３】
表示制御装置３０の視線検出部４３は、撮像部１２から出力された画像情報に基づいて複数のユーザＵ１，Ｕ２の視線の方向をそれぞれ検出する（ステップＳ１）。次いで、表示制御装置３０の注視検出部４４は、検出されたユーザＵ１，Ｕ２の視線の方向の情報に基づき、複数の表示装置２０の中から注視表示装置を検出する（ステップＳ２）。
【００７４】
そして、表示制御装置３０の表示制御部４５は、注視検出部４４の検出結果に基づいて、言い換えると、複数のユーザＵ１，Ｕ２の注視表示装置に関する検出結果に基づいて、注視表示装置とは別の表示装置２０の表示を制御するようにする。これにより、複数のユーザＵ１，Ｕ２の表示装置２０に対する利便性を向上させることができる。
【００７５】
詳しく説明すると、例えば図５に示すように、ユーザＵ１およびユーザＵ２がともに、前席表示装置２０Ｆを注視し、前席表示装置２０Ｆが注視表示装置として検出されたものとする。かかる場合、ユーザＵ１，Ｕ２は両方とも、前席表示装置２０Ｆのコンテンツ情報を自身に近い後席表示装置２０Ｒに表示させることを所望する意図があると推定することができる。
【００７６】
そこで、第１の変形例に係る表示制御部４５にあっては、複数の表示装置２０のうちの同じ表示装置２０が複数のユーザＵ１，Ｕ２に注視されて注視表示装置として検出された場合に、注視表示装置のコンテンツ情報を別の表示装置（ここでは後席表示装置２０Ｒ）に表示させる（ステップＳ３）。
【００７７】
従って、第１の変形例にあっては、複数のユーザＵ１，Ｕ２は、例えば前席表示装置２０Ｆを見るだけで、後席表示装置２０Ｒのコンテンツ情報を前席表示装置２０Ｆのコンテンツ情報に切り替えることができる。このように、第１の変形例では、複数のユーザＵ１，Ｕ２の両方の意図を推定しつつ表示装置２０を制御することから、複数のユーザＵ１，Ｕ２の表示装置２０に対する利便性を向上させることができる。
【００７８】
なお、第１の変形例では、複数のユーザＵ１，Ｕ２が２人であるため、２人のユーザＵ１，Ｕ２全員が前席表示装置２０Ｆを注視した場合に、後席表示装置２０Ｒのコンテンツ情報を切り替えるようにしたが、例えばユーザＵが３人以上の場合、これに限られない。
【００７９】
すなわち、例えばユーザＵが３人以上であった場合、複数のユーザＵのうちの過半数のユーザＵが前席表示装置２０Ｆを注視したとき、あるいは複数のユーザＵのうちの少なくとも２人のユーザＵが前席表示装置２０Ｆを注視したとき、後席表示装置２０Ｒのコンテンツ情報の切り替えを行うようにしてもよい。このように構成した場合であっても、３人以上のユーザＵの表示装置２０に対する利便性を向上させることが可能となる。
【００８０】
（第２の変形例）
＜５．第２の変形例に係る表示制御装置＞
次いで、第２の変形例に係る表示制御装置３０について説明する。上記した第１の実施形態にあっては、ユーザＵが注視して注視表示装置のコンテンツ情報を、注視表示装置とは別の表示装置２０に表示させるようにした。
【００８１】
しかしながら、コンテンツ情報が切り替えられる別の表示装置２０を他のユーザＵが注視していることもあり、そのような場合に別の表示装置２０のコンテンツ情報が切り替えられると、他のユーザＵは不満を感じて表示装置２０に対する満足度が低下するおそれがある。
【００８２】
そこで、第２の変形例にあっては、表示装置２０に対する満足度が低下することを抑制するような構成とした。図６は、第２の変形例に係る表示制御装置３０を説明する図である。
【００８３】
図６に示すように、第２の変形例では、第１の変形例と同様、車両１の後席３ＲＬ，３ＲＲにユーザＵ１，Ｕ２が着座し、後席３ＲＬ，後席３ＲＲに撮像部１２が設置される。
【００８４】
視線検出部４３は、複数のユーザＵ１，Ｕ２の視線の方向をそれぞれ検出し（ステップＳ１）、次に、注視検出部４４は、ユーザＵ１，Ｕ２の視線の方向の情報に基づき、複数の表示装置２０の中から注視表示装置を検出する（ステップＳ２）。
【００８５】
そして、図６に示す例では、ユーザＵ１が前席表示装置２０Ｆを注視し、前席表示装置２０Ｆが注視表示装置として検出されるものとする。他方、ユーザＵ２は後席表示装置２０Ｒを注視し、後席表示装置２０Ｒが注視表示装置として検出されるものとする。
【００８６】
かかる場合、ユーザＵ１は前席表示装置２０Ｆのコンテンツ情報を後席表示装置２０Ｒに表示させてコンテンツ情報を切り替えることを所望するが、ユーザＵ２は、後席表示装置２０Ｒを注視しているため、後席表示装置２０Ｒのコンテンツ情報の切り替えを所望していないと推定することができる。
【００８７】
そこで、第２の変形例に係る表示制御部４５にあっては、複数のユーザＵ１，Ｕ２のうちの一部のユーザＵ１に注視された注視表示装置のコンテンツ情報を表示させる別の表示装置（ここでは後席表示装置２０Ｒ）が、他のユーザＵ２に注視されて注視表示装置として検出された場合、ユーザＵ１に注視された注視表示装置のコンテンツ情報の別の表示装置への表示を禁止する（ステップＳ３ａ）。
【００８８】
これにより、第２の変形例にあっては、別の表示装置２０のコンテンツ情報が切り替えられることはないため、他のユーザＵ２は不満を感じて表示装置２０に対する満足度が低下することを抑制することができる。
【００８９】
（第２の実施形態）
＜６．第２の実施形態に係る表示制御装置を含む表示システムの構成＞
次いで、第２の実施形態に係る表示制御装置３０について説明する。上記した実施形態において、表示制御装置３０は、車両１に搭載された表示装置２０の制御を行うようにしたが、これに限定されるものではない。
【００９０】
例えば、上記した表示制御装置３０にあっては、デジタルサイネージと呼ばれる、電子広告媒体などを表示する表示装置にも適用することができる。なお、デジタルサイネージは、例えば通信ネットワークを介して配信されるコンテンツ情報を表示し、例えば街頭、駅、店舗、空港、ホテルなどの様々な場所に設置されている。
【００９１】
図７は、第２の実施形態における表示システム１００の構成例を示すブロック図である。図７に示すように、第２の実施形態に係る表示システム１００は、コンテンツ提供者端末６０と、ユーザ端末７０と、表示制御装置１３０と、表示装置２０とを備え、これらは通信ネットワークＮを介して通信可能に接続される。なお、通信ネットワークＮとしては、例えばインターネットなどのＷＡＮ（Wide  Area  Network）を用いることができる。
【００９２】
コンテンツ提供者端末６０は、複数のコンテンツ提供者端末６０ａ，６０ｂを含み、これらはコンテンツ提供者の操作によって、例えば広告情報やニュース情報など種々のコンテンツ情報が入力される。なお、図７では、コンテンツ提供者端末６０を複数示したが、１つであってもよい。
【００９３】
ユーザ端末７０は、例えばユーザＵによって携帯あるいは所持可能な端末装置であり、例えばメガネ型のウェアラブル端末（所謂スマートグラス）を用いることができるが、これに限定されるものではない。すなわち、例えば、ユーザ端末７０として、スマートフォンや、タブレット型端末や、ＰＤＡ（Personal  Digital  Assistant）や、デスクトップ型ＰＣ（Personal  Computer）や、ノート型ＰＣ等を用いてもよい。
【００９４】
図８は、ユーザ端末７０の構成例を示すブロック図である。図８に示すように、ユーザ端末７０は、通信部８０と、測位部８１と、撮像部８２と、ユーザ端末側表示装置８３と、記憶部８４と、制御部９０とを備える。
【００９５】
通信部８０は、通信ネットワークＮに接続され、例えば表示制御装置１３０などとの間で情報の送受信を行う。測位部８１は、ＧＰＳ（Global  Positioning  System）衛星から送出される電波を受信し、受信した電波に基づいてユーザ端末７０の位置を示す位置情報（例えば、緯度および経度）を取得する。
【００９６】
撮像部８２は、第１の実施形態の撮像部１２と同様の機能を有する。すなわち、撮像部８２は、ユーザＵの視線に関する画像を撮像するカメラである。ユーザ端末側表示装置８３は、図示は省略するが、例えば液晶パネルなどの画面を備え、種々のコンテンツ情報等を表示可能とされる。記憶部８４は、不揮発性メモリやハードディスクドライブといった記憶デバイスで構成される記憶部であり、例えばユーザ端末７０を動作させる各種プログラムなどが記憶される。
【００９７】
制御部９０は、送信部９１と、受信部９２と、処理部９３とを備え、ＣＰＵ（Central  Processing  Unit）などを有するマイクロコンピュータである。送信部９１は、撮像部８２によって撮像されたユーザＵの画像情報を通信部８０を介して表示制御装置１３０へ送信する。また、送信部９１は、測位部８１によって取得されたユーザ端末７０の位置を示す位置情報を通信部８０を介して表示制御装置１３０へ送信する。
【００９８】
受信部９２は、例えば、表示制御装置１３０からのコンテンツ情報を通信部８０を介して受信することができる。処理部９３は、撮像部８２やユーザ端末側表示装置８３等を含め、ユーザ端末７０全体を制御する。例えば、処理部９３は、受信部９２で受信したコンテンツ情報をユーザ端末側表示装置８３に表示させることもできる。
【００９９】
図７の説明に戻ると、表示制御装置１３０は、表示装置２０やユーザ端末側表示装置８３の表示を制御する。図９は、表示制御装置１３０の構成例を示すブロック図である。
【０１００】
図９に示すように、表示制御装置１３０は、通信部１１１と、制御部１４０と、記憶部１５０とを備える。通信部１１１は、通信ネットワークＮに接続され、例えばコンテンツ提供者端末６０やユーザ端末７０などとの間で情報の送受信を行う。
【０１０１】
制御部１４０は、コンテンツ取得部１４２と、視線検出部１４３と、注視検出部１４４と、表示制御部１４５と、移動判定部１４６とを備え、ＣＰＵなどを有するマイクロコンピュータである。また、記憶部１５０は、表示装置２０の位置情報ＤＢ１５１と、コンテンツ情報ＤＢ１５２とを備える。
【０１０２】
表示装置２０の位置情報ＤＢ１５１には、複数の表示装置２０の位置関係を示す情報が記憶されるが、これについては図１０を用いて後述する。コンテンツ情報ＤＢ１５２には、例えばコンテンツ提供者端末６０から送信されたコンテンツ情報が記憶される。
【０１０３】
コンテンツ取得部１４２は、コンテンツ提供者端末６０からのコンテンツ情報を取得し、コンテンツ情報ＤＢ１５２に一時的に記憶させる。視線検出部１４３は、撮像部８２によって撮像されたユーザＵの画像を取得し、かかる画像に基づいてユーザＵの視線方向を検出する。なお、視線検出部１４３は、上記した視線検出部４３と同様な構成であるため、これ以上の説明を省略する。
【０１０４】
注視検出部１４４は、視線検出部１４３によって検出されたユーザＵの視線方向を示す情報に基づき、注視表示装置を検出する。注視検出部１４４も、上記した注視検出部４４と同様であるため、説明を省略する。
【０１０５】
表示制御部１４５は、コンテンツ情報をコンテンツ情報ＤＢ１５２から読み出し、読み出したコンテンツ情報を所定の表示装置２０へ出力して表示させる。なお、表示制御部１４５は、注視検出部１４４によって検出された注視表示装置に基づいて表示装置２０の表示制御を行うが、これについては図１０を参照して後述する。
【０１０６】
移動判定部１４６は、測位部８１によって取得されたユーザ端末７０の位置情報に基づいてユーザＵの移動状態を検出し、ユーザＵが移動しているか否かを判定する。詳しくは、移動判定部１４６は、ユーザＵが注視表示装置へ向けて移動しているか否かを判定する。
【０１０７】
図７の説明に戻ると、表示装置２０は、複数の表示装置２０ａ，２０ｂを含むものとする。なお、図７では、２個の表示装置２０ａ，２０ｂを示したが、３個以上であってもよい。
【０１０８】
図１０は、上記した表示装置２０の配置例を示す図である。図１０は、例えば表示装置２０が設置される駅などを上から見たときの模式図である。
【０１０９】
図１０に示す例では、表示装置２０は９個設置されているものとする。また、９個の表示装置２０のうち、ユーザＵの視線方向（一点鎖線矢印参照）に沿ってユーザＵから近い順に、表示装置２０ａ，２０ｂ，２０ｘ，２０ｃ，２０ｄが直線的に並んでいるものとする。また、ユーザＵの視線方向が例えばユーザＵの右側に向けられているとした場合、ユーザＵの視線方向と反対側であるユーザＵの左側の前方には、ユーザＵから近い順に、表示装置２０ｅ，２０ｆが直線的に並んでいるものとする。
【０１１０】
さらに、ユーザＵの後方であって、ユーザＵの視界に入らない位置には、表示装置２０ｇ，２０ｈが配置されているものとする。なお、図１０に破線で示す範囲Ｂは、ユーザＵから比較的近い所定の範囲を示しており、かかる範囲Ｂには、上記した表示装置２０ａ，２０ｅ，２０ｇ，２０ｈが配置されているものとする。
【０１１１】
なお、上記したような複数の表示装置２０の位置関係の情報が、上記した表示装置２０の位置情報ＤＢ１５１に記憶されている。また、図１０に示す表示装置２０の位置や個数は、例示であって限定されるものではない。
【０１１２】
以下、表示制御装置１３０が、上記のように配置された表示装置２０に対して行う表示制御について説明する。なお、図１０に示す例では、表示装置２０ｘがユーザＵに注視され、注視表示装置として検出されたものとする。
【０１１３】
第２の実施形態に係る表示制御装置１３０の表示制御部１４５は、第１の実施形態と同様、注視検出部１４４によって注視表示装置が検出された場合、注視表示装置のコンテンツ情報を、注視表示装置とは別の表示装置２０に表示させるようにしてもよい。
【０１１４】
詳しくは、表示制御部１４５は、例えば表示装置２０ａ〜２０ｈのうちの一部または全部を選択表示装置として選択し、選択された選択表示装置に表示されるコンテンツ情報を注視表示装置のコンテンツ情報に切り替える。
【０１１５】
また、表示制御部１４５によってコンテンツ情報が切り替えられる表示装置２０は、任意に設定することができる。以下、コンテンツ情報が切り替えられる表示装置２０の例について説明する。
【０１１６】
例えば、表示制御部１４５は、ユーザＵの視線方向に沿って配置される全ての表示装置２０のコンテンツ情報を切り替えてもよい。かかる場合、表示装置２０ａ〜２０ｈのうち、表示装置２０ａ〜２０ｄのコンテンツ情報が切り替えられることとなる。
【０１１７】
また、例えば、表示制御部１４５は、ユーザＵの視線方向に沿って配置される表示装置２０であって、ユーザＵに最も近い表示装置２０のコンテンツ情報を切り替えてもよい。かかる場合、表示装置２０ａ〜２０ｈのうち、表示装置２０ａのみのコンテンツ情報が切り替えられることとなる。
【０１１８】
また、例えば、表示制御部１４５は、ユーザＵの視線方向に沿って配置される表示装置２０であって、ユーザＵの位置と注視表示装置との間に配置される表示装置２０のコンテンツ情報を切り替えてもよい。かかる場合、表示装置２０ａ〜２０ｈのうち、表示装置２２０ａ，２０ｂのコンテンツ情報が切り替えられることとなる。
【０１１９】
また、例えば、表示制御部１４５は、ユーザＵから比較的近い範囲Ｂに配置される全ての表示装置２０のコンテンツ情報を切り替えてもよい。かかる場合、表示装置２０ａ〜２０ｈのうち、表示装置２０ａ，２０ｅ，２０ｇ，２０ｈのコンテンツ情報が切り替えられることとなる。
【０１２０】
また、例えば、図１０に矢印Ｃで示すように、移動判定部１４６によってユーザＵが注視表示装置たる表示装置２０ｘへ向けて移動していると判定された場合、表示制御部１４５は、かかる判定結果に基づいて注視表示装置とは別の表示装置２０の表示を制御してもよい。これにより、ユーザＵの移動状態に即した位置に配置される表示装置２０のコンテンツ情報を切り替えることが可能となる。
【０１２１】
例えば、表示制御部１４５は、ユーザＵが移動していると判定された場合、ユーザＵの視線方向に沿って配置される表示装置２０であって、かつ注視表示装置たる表示装置２０ｘよりもユーザＵの移動方向側にある表示装置２０のコンテンツ情報を切り替えてもよい。かかる場合、表示装置２０ａ〜２０ｈのうち、表示装置２０ｃ，２０ｄの一方あるいは両方のコンテンツ情報が切り替えられることとなる。
【０１２２】
これにより、例えばユーザＵが破線で示す位置まで移動した場合であっても、移動先のユーザＵに比較的近い表示装置２０のコンテンツ情報の切り替えを行うことができ、結果としてユーザＵにとって見易い位置にある表示装置２０に、注視表示装置のコンテンツ情報を表示させることが可能となる。
【０１２３】
また、例えば、表示制御部１４５は、ユーザＵが移動していると判定された場合、注視表示装置たる表示装置２０ｘよりもユーザＵの移動方向側にある全ての表示装置２０のコンテンツ情報を切り替えてもよい。かかる場合、表示装置２０ａ〜２０ｈのうち、表示装置２０ｃ，２０ｄ，２０ｆのコンテンツ情報が切り替えられることとなる。
【０１２４】
また、例えば、表示制御部１４５は、全ての表示装置２０のコンテンツ情報を切り替えてもよい。かかる場合、表示装置２０ａ〜２０ｈの全てのコンテンツ情報が切り替えられることとなる。
【０１２５】
このように、第２の実施形態にあっては、表示制御部１４５によってコンテンツ情報が切り替えられる表示装置２０を適宜に設定することで、ユーザＵにとって見易い位置にある表示装置２０に、注視表示装置のコンテンツ情報を表示させることが可能となる。また、例えばコンテンツ情報が広告情報やニュース情報などを含む場合、コンテンツ情報のユーザＵに対する訴求力を向上させることができる。
【０１２６】
なお、表示制御部１４５は、例えば、表示装置２０以外にもユーザ端末側表示装置８３のコンテンツ情報を切り替えてもよい。かかる場合、ユーザＵに近い位置にあるユーザ端末側表示装置８３に、注視表示装置のコンテンツ情報を表示させることが可能となる。
【０１２７】
また、上記した第２の実施形態では、表示装置２０としてデジタルサイネージを例に挙げて説明したが、これに限定されるものではなく、ユーザＵに対してコンテンツ情報を表示する表示装置２０であれば、その他の種類の表示装置であってもよい。例えば、表示装置２０としては、美術館、博物館や動物園などの公共機関に設けられ、展示物等に関する情報を含むコンテンツ情報を表示する表示装置であってもよい。
【０１２８】
また、上記した各実施形態では、表示装置２０のコンテンツ情報を切り替えるようにしたが、これに限られず、例えばユーザＵが携帯するスマートフォンやタブレット型端末などのディスプレイのコンテンツ情報を切り替えるようにしてもよい。
【０１２９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１３０】
１  車両
１２，８２  撮像部
２０  表示装置
３０，１３０  表示制御装置
４３，１４３  視線検出部
４４，１４４  注視検出部
４５，１４５  表示制御部
１４６  移動判定部
【図１】
2018066940.tif 000003
【図２】
2018066940.tif 000004
【図３】
2018066940.tif 000005
【図４】
2018066940.tif 000006
【図５】
2018066940.tif 000007
【図６】
2018066940.tif 000008
【図７】
2018066940.tif 000009
【図８】
2018066940.tif 000010
【図９】
2018066940.tif 000011
【図１０】
2018066940.tif 000012